(57)【要約】      （修正有）【課題】気泡混じりの水を連続的に汲み上げても稚仔魚が気泡症を発症せず、飼育海水を得ることの出来る気泡症防止機能を備えた水ろ過装置を開発・提供する。【解決手段】水（海水または淡水）ろ過装置１において、水中Ｘより水を汲み上げ、取水管２を介して、取水ポンプ３で汲み上げ、着水槽４に入れ、該着水槽より既存の気泡除去装置５を介してろ過装置本体１に流入させ、該本体のろ過処理水室１ａ内に、気泡症性水感知装置６を設け、水の酸素量を計測し、前記ろ過処理室１ａ内が過飽和となり気泡が多い海水または淡水の場合は、ろ過水供給を停止し、気泡除去装置５で気泡を除去し、水に含まれる微細気泡を所定量まで除去し、通常水と気泡除去装置５で微粒子気泡を除去した水とを混合させ、飼育水として最適な水（海水または淡水）とする。【選択図】図１
0003186360.tif 000002
【実用新案登録請求の範囲】
【請求項１】
水（海水または淡水）ろ過装置（１）において、水中（Ｘ）より水を汲み上げ、気泡除去装置（５）を介してろ過処理し、稚仔魚の飼育水として活用することを特徴とする気泡症防止機能を備えた水ろ過装置。
【請求項２】
水（海水または淡水）ろ過装置（１）において、水中（Ｘ）より水を汲み上げ、取水管（２）を介して、取水ポンプ（３）で汲み上げ、着水槽（４）に入れ、該着水槽より既存の気泡除去装置（５）を介してろ過装置本体（１）に流入させ、該本体のろ過処理水室（１ａ）内に、気泡症性水感知装置（６）を設け、水の酸素量を計測し、前記ろ過処理室（１ａ）内が過飽和となり気泡が多い海水または淡水の場合は、ろ過水供給を停止し、気泡除去装置（５）で気泡を除去し、水に含まれる微細気泡を所定量まで除去し、通常水と気泡除去装置（５）で微粒子気泡を除去した水とを混合させ、飼育水として最適な水（海水または淡水）とすることを特徴とする気泡症防止機能を備えた水ろ過装置。
【請求項３】
気泡除去装置（５）は、取水ポンプ（３）、あるいは、取水ポンプ（３）と、ろ過処理水室（１ａ）とを連通する連通パイプ（７）の中途に設けたことを特徴とする請求項１または２記載の気泡症防止機能を備えた水ろ過装置。
【請求項４】
気泡除去装置（５）で気泡を除去し、海水または淡水に含まれる微細気泡を除去する程度は、１／８の酸素入り水であることを特徴とする請求項１または２または３記載の気泡症防止機能を備えた水ろ過装置。
【考案の詳細な説明】
【技術分野】
【０００１】
この考案は、気泡症防止機能を備えた水（海水および淡水）ろ過装置に関し、特に、連続的に海水または淡水を吸い上げた水の気泡を除去するとともに、水と気泡に付着した雑菌も殺菌する気泡症防止機能を備えた水ろ過装置に関するものである。
【背景技術】
【０００２】
従来、海水や淡水（自然水）を利用して稚仔魚を飼育する際、これら水中に含まれる気泡によって、飼育中に、斃死、奇形等の魚が発生し、その原因は気泡症という病名であり、漁業生産業者にとっては痛手を被ることが多く問題となっている。
【０００３】
この気泡症（ガス病ともいう）は、水中に溶け込んでいる「酸素量」及び「窒素量」の溶解量過多となり、これが原因で発症するといわれている。
【０００４】
気泡症の原因は、特に、海水をろ過する場合は、最干潮時、または取水口付近の岩場等の波うち場で気泡（水中飽和気泡）を取水口より取り込んだ海水や、取水ポンプの前後の配管のピンホールより吸入した空気がポンプの吐出圧力による，過飽和気泡の場合、そして、ろ過装置のろ過室にてポンプ圧によるろ過圧力損失（ポンプ揚程圧＋ろ過抵抗）による過飽和気泡が原因であり、これらの気泡が多分に含まれる水で飼育した場合に、稚仔魚に発生するものであった。
【０００５】
さらに、この他の原因はエアレーションが強すぎ（曝気過多）たり、夏場の高水温（連日３２°Ｃ以上の状態）の場合発症することが多いともいわれている。例えば、海水の取水口が遠浅であり、水深が確保できない時に、荒波等の大気中の気泡と一緒に吸い込むような場所においては気泡症の状況になり易いものであった。
【０００６】
これに対して、従来より海水、淡水に対して前記気泡症の防止対策がなく、飼育池の投入口に、シャワー式にして水を流入して水内のガスをとり除く方法があるが、この手段では完全とはいえないものであった。
【考案の概要】
【考案が解決しようとする課題】
【０００７】
そこで、この考案の課題は、気泡混じりの水（海水および淡水）を連続的に汲み上げて飼育水として使用しても稚仔魚が気泡症を発症せず、飼育水（海水および淡水）を得ることの出来る気泡症防止機能を備えた水ろ過装置を開発・提供することにある。
【課題を解決するための手段】
【０００８】
そこで、この考案は、上記の課題を解決すべく、鋭意研究を重ねた結果、取水ポンプに気泡除去装置を設置し、飽和状態を所定の数値（状態）に抑えて原水とし、ろ過処理水室内にて気泡症水の飽和度を計測し、飽和状態が高い場合には、水を排出し、再度、気泡除去装置を循環させ、飽和度を所定の数値まで低下させ、低飽和水を確認後、ろ過装置に流入させ、気泡症水（海水および淡水）感知装置で、良い数値の場合のみ飼育水とし、また、水や気泡に付着した雑菌等を電解装置で殺菌して送水する気泡症防止機能を備えた水ろ過装置を開発・提供するものである。
【考案の効果】
【０００９】
この考案によると、水ろ過装置で処理する水，例えば、海水の海中での取水位置が、水深を確保した位置から取水しなくても気泡除去装置や電解装置を介して水処理をするため、気泡を除去し、しかも水あるいは気泡に付着した雑菌を殺菌処理した飼育水が得られることにより、取水場所等を選択する等の面倒がないという極めて優れた効果を奏するものである。
【００１０】
また、既存の水ろ過装置に、気泡除去装置、並びに気泡症性海水感知装置を設けることにより、気泡を含まない極めて安全な稚仔魚の飼育水を生産することが出来、優れた効果を奏するものである。
【００１１】
そしてまた、既存の水ろ過装置に、気泡除去装置、並びに気泡症性海水感知装置の外に、電解装置を設けることにより、水に含まれ、また気泡に付着した雑菌等を処理することができ、極めて安全な稚仔魚の飼育水を生産することが出来るという優れた効果を奏するものである。
【００１２】
さらに、水ろ過装置における配管のピンホールより吸入した空気がポンプの吐出圧力による，過飽和気泡が水に含有する場合や、水ろ過装置のろ過室にてポンプ圧によるろ過圧力損失（ポンプ揚程圧＋ろ過抵抗）等の人為的な管理ミスや操作ミス等による過飽和気泡が水に含有する場合であっても、これらの気泡を除去した飼育水が得られる等、優れた効果を奏するものである。
【図面の簡単な説明】
【００１３】
【図１】この考案の一実施例を示す説明図である。
【図２】この考案の他の実施例を示す説明図である。
【図３】この考案に使用する気泡除去装置の一実施例を示す説明図である。
【考案を実施するための形態】
【００１４】
以下、この考案について詳細に説明する。なお、この考案においては、以下の記述に限定されるものではなく、この考案の要旨を逸脱しない範囲においては適宜変更可能である。
【実施例】
【００１５】
次に、この考案の一実施例を図面に基づいて詳述すると、水（海水または淡水）ろ過装置（１）において、海中（Ｘ）より海水を汲み上げ、気泡除去装置（５）を介してろ過処理し、さらに、電解装置（８）を設けることにより殺菌処理された水を稚仔魚の飼育水として活用することを特徴とする気泡症防止機能を備えた水ろ過装置より構成される。
【００１６】
さらに、詳述すると、上記水ろ過装置（１）において、海中（Ｘ）より海水を、取水管（２）を介して、取水ポンプ（３）で汲み上げ、着水槽（４）に一端入れ、該着水槽より既存の気泡除去装置（５）を介してろ過装置本体（１）に流入させ、該本体のろ過処理水室（１ａ）内に、気泡水（海水または淡水）感知装置（６）を設け、海水の酸素量を計測し、前記ろ過処理室（１ａ）内が過飽和となり気泡が多い海水の場合は、ろ過水供給を停止し、気泡除去装置（５）で気泡を除去し、海水に含まれる微細気泡を所定量まで除去し、通常水（海水）と気泡除去装置（５）で微粒子気泡を除去した海水を混合させ、飼育水として最適な水（海水）とすることを特徴とする気泡症防止機能を備えた水ろ過装置である。
【００１７】
気泡除去装置（５）は、取水ポンプ（３）、あるいは、取水ポンプ（３）と、ろ過処理水室（１ａ）とを連通するパイプ（７）の中途に設けたものであり、図３に基づいて説明すると、該パイプ（７）より水（自然海水）が、水ろ過装置（１）に向けて送られると、電磁バルブ（９ｄ）は通常「開」であるが、気泡を含んだ水である場合は、前記バルブは「閉」となり、前記気泡除去装置（５）のバルブ（５ａ）（５ｂ）をそれぞれ「開」にして前記気泡除去装置（５）が作動することにより気泡を除去された後、水ろ過装置（１）のろ過処理水室（１ａ）で処理されるものである。
【００１８】
さらに、前記気泡除去装置（５）の作動は、ろ過処理水室（１ａ）内に設置した気泡水感知装置（６）により気泡を検知したら、調整制御盤（１０）に設けられた警報で警告すると共に、前記電磁バルブ（９ｄ）を「閉」にし、自然海水は前記気泡除去装置（５）を通るよう制御される。
【００１９】
さらに、前記気泡除去装置（５）で気泡を除去する共に、手前でパイプ（７）のバルブ（９ｃ）を「閉」にし、且つ、バルブ（９ａ）（９ｂ）を「開」にして自然海水を迂回させて電解装置（８）を通過させて海水や気泡に付着した雑菌を殺菌処理することも可能であり、前記自然海水に含まれる微細気泡（酸素）を１／８まで除去することが好ましい。  
【００２０】
尚、この考案の一実施例として使用する図１に示す水ろ過装置（１）は、ろ過処理水室（１ａ）でろ過された水を貯水する貯水タンク（Ｙ）を備えているものであり、また、この考案の他の実施例として使用する図２に示す水ろ過装置（１）も、ろ過処理水室（１ａ）でろ過された水を貯水する貯水タンク（Ｙ）と、該貯水タンクが満杯の際、コンクリート製の高架水槽（Ｚ）にろ過水を移送するものであり、いずれも、本願出願人が既にそれぞれ登録済みの『亀裂防止装置を備えたＦＲＰ製ろ過装置』（登録第３１８３５９９号実用新案）と、『高所用ＦＲＰ製ろ過装置における亀裂防止装置』（登録第３１８３８２４号実用新案）としてそれぞれ実用新案権を取得しているものである。
【００２１】
また、この考案に使用する気泡除去装置や消泡装置は、多々存在しているが、その一例として既存の気泡除去装置（５）を説明すると、自然海水（気泡を含んだ海水）をタンク（図示せず）内に吸引させ、該自然海水を、主揚水羽根（図示せず）と分離羽根（図示せず）を用いて高速回転させると、重量のある水（海水）は遠心力の働きによりタンク周壁方向に飛散し、軽量である気泡は中央にと、それぞれ分離され、中央の気泡混入の水（海水）は、真空ポンプへ移送され、周囲に飛散した海水は、１／８の酸素水（海水）となり、飼育海水となり、ろ過装置（１）のろ過処理室（１ａ）に移動し処理されて、飼育海水となるものである。
【００２２】
また、取水ポンプ（３）に気泡除去装置（５）を設置し、飽和状態（１２０％）を７０〜８０％に抑えて原水とし、ろ過処理水室（１ａ）内にて気泡症水の飽和度を計測し、飽和状態が高い場合には、水を排出し、再度、気泡除去装置（５）を循環させ、飽和度５０％まで低下させ、低飽和水を確認後、ろ過装置に流入させ、気泡症水感知装置（６）で、良い数値の場合のみ飼育水として送水する気泡症防止機能を備えた水ろ過装置を開発・提供するものである。
【産業上の利用可能性】
【００２３】
この考案の気泡症防止機能を備えた水ろ過装置の技術を確立し、実施することにより、産業上利用できるものである。
【符号の説明】
【００２４】
１  水ろ過装置
１ａ  ろ過処理水室
２  取水管
３  取水ポンプ
４  着水槽
５  気泡除去装置
６  気泡水感知装置
７  連通パイプ
８  電解装置
１０  調整制御盤
９ａ，９ｂ，９ｃ  バルブ
９ｄ  電磁バルブ
Ｘ  海中
Ｙ  貯水タンク
Ｚ  高架水槽
【図１】
0003186360.tif 000003
【図２】
0003186360.tif 000004
【図３】
0003186360.tif 000005